(57)【要約】【課題】盗難防止装置本体の商品からの引き剥がしにおいても、より確実に商品に異常が発生したことを報知すること。【解決手段】盗難を防止する商品への取付け面に、該商品への着脱に伴って変位する変位部２９と、該変位部２９の変位を検出する検出手段４４と、該検出手段４４による前記変位部２９の変位検出に基づいて発報する発報手段Ｂと、を備える盗難防止装置１において、前記検出手段４４が、フィルム状のピエゾ素子２５と、該フィルム状のピエゾ素子２５に生じる電圧変化を検出する電圧変化検出回路４４とから成り、前記フィルム状のピエゾ素子２５を前記変位部２９の変位に基づいて変形するように設ける。【選択図】  図４
2004295760.tif 000002
【特許請求の範囲】
【請求項１】
盗難を防止する商品への取付け面に、該商品への着脱に伴って変位する変位部と、該変位部の変位を検出する検出手段と、該検出手段による前記変位部の変位検出に基づいて発報する発報手段と、を備える盗難防止装置において、前記検出手段が、フィルム状のピエゾ素子と、該フィルム状のピエゾ素子に生じる電圧変化を検出する電圧変化検出回路とから成り、前記フィルム状のピエゾ素子を前記変位部の変位に基づいて変形するように設けて成ることを特徴とする盗難防止装置。
【請求項２】
前記変位部が、前記取付け面に出没自在に設けられた稼働部材と、該稼働部材を前記取付け面から突出するように付勢する付勢手段とから成る請求項１に記載の盗難防止装置。
【請求項３】
前記電圧変化検出回路とフィルム状のピエゾ素子とは、着脱自在とされている請求項１または２に記載の盗難防止装置。
【発明の詳細な説明】
【０００１】
【発明の属する技術の分野】
本発明は、商店等において、商品の盗難防止に利用される盗難防止装置に関する。
【０００２】
【従来の技術】
従来、これら盗難防止装置としては、タグ状の盗難防止装置本体を商品に取付け、該タグ状の盗難防止装置本体が商品から離脱したときに発報するものがある。（特許文献１）
【０００３】
【特許文献１】
特許第２７７６７４４号公報
【０００４】
【発明が解決しようとする課題】
しかしながら、これら従来の盗難防止装置にあっては、前記タグ状の盗難防止装置本体が商品から離脱したことを、プランジャーの動作に伴ってＯＮ／ＯＦＦするリミットスイッチによって検出する構成となっているが、例えば、商品とタグ状の盗難防止装置本体との間に、カッター刃のような薄手のものを挿入して、プランジャーの動作しないように固定した状態で盗難防止装置本体を商品から引き剥がした場合には、前記リミットスイッチが作動せず、商品に異常が発生したことが報知されない場合があるという問題があった。
【０００５】
よって、本発明は上記した問題点に着目してなされたもので、前記したような、カッター刃のような薄手のものを挿入して盗難防止装置本体を商品から引き剥がした場合においても、より確実に商品に異常が発生したことが報知される盗難防止装置を提供することを目的としている。
【０００６】
【課題を解決するための手段】
前記した問題を解決するために、本発明の盗難防止装置は、盗難を防止する商品への取付け面に、該商品への着脱に伴って変位する変位部と、該変位部の変位を検出する検出手段と、該検出手段による前記変位部の変位検出に基づいて発報する発報手段と、を備える盗難防止装置において、前記検出手段が、フィルム状のピエゾ素子と、該フィルム状のピエゾ素子に生じる電圧変化を検出する電圧変化検出回路とから成り、前記フィルム状のピエゾ素子を前記変位部の変位に基づいて変形するように設けて成ることを特徴としている。
この特徴によれば、カッター刃のような薄手のものを挿入して盗難防止装置本体を商品から引き剥がそうとした場合においても、これら引き剥がし行為による前記変位部の微小な変位によってフィルム状のピエゾ素子が変形することにより、該変形により生じる電圧が前記電圧変化検出回路にて検出されて前記発報手段による発報がなされるようになるため、カッター刃のような薄手のものを挿入して盗難防止装置本体を商品から引き剥がした場合においても、より確実に商品に異常が発生したことが報知される。
【０００７】
本発明の盗難防止装置は、前記変位部が、前記取付け面に出没自在に設けられた稼働部材と、該稼働部材を前記取付け面から突出するように付勢する付勢手段とから成ることが好ましい。
このようにすれば、前記出没自在に設けられた稼働部材が付勢手段により付勢されていることで、商品への着脱において変位部が可逆的に変位することで、繰返し盗難防止装置を簡便に使用することができる。
【０００８】
本発明の盗難防止装置は、前記電圧変化検出回路とフィルム状のピエゾ素子とは、着脱自在とされていることが好ましい。
このようにすれば、フィルム状のピエゾ素子を前記変位部に接続した後に、電圧変化検出回路と容易に接続できるようになるため、盗難防止装置の組立工程を簡素化できる。
【０００９】
【発明の実施の形態】
以下、図面に基づいて本発明の実施形態を説明する。
（実施例）
本実施例の盗難防止装置は、図１に示されるように、商品や什器等に貼付されるシートセンサ４上に形成されている抵抗回路の抵抗値異常の検出を行う異常検出回路や警告音を発報するブザ−Ｂ並びにこれら各回路やブザ−等を付勢する電池等の電源を内蔵し、商品或いは什器等に取付け可能な本体１と、この本体１より導出されたケ−ブルコ−ド２と、このケ−ブルコ−ド２の先端部位置に設けられ、圧着により前記シートセンサ４と前記ケ−ブルコ−ド２とを導通可能に接続、保持する圧着コネクタ３と、可撓性を有するフィルム上に、該可撓性フィルムの変形にて回路抵抗が変化する感圧導電性ペーストにて形成された抵抗回路が形成されるとともに、前記可撓性フィルムの一面に粘着材層が形成されて商品や什器等に貼付可能とされたシートセンサ４と、から主に構成されている。
【００１０】
まず、本実施例の盗難防止装置を構成する前記本体１は、図１並びに図４に示すように、箱状の本体ケース内部に、後述する図５に示す回路、並びにブザーＢやメインスイッチ２２が実装された回路基板３１や電源である電池を内蔵しているとともに、その上面には、メインスイッチ２２を小径のピン等により操作するための開口１９や、前記ブザーＢの音が放出される放音部２０が設けられていて、前記回路基板３１に接続されたケ−ブルコ−ド２が、前記本体ケース外部に導出されている。
【００１１】
この本実施例の本体１内部に格納されて、前記ケ−ブルコ−ド２並びに圧着コネクタ３を介して前記シートセンサ４の抵抗回路の抵抗異常を検出する異常検出回路の構成は、図５に示すようになっており、前記シートセンサ４に形成された所定パターンの抵抗回路の抵抗値がシートセンサ４の変形により予め定められた所定値以上に上昇した際の電圧降下を検出して動作信号である高電圧信号を出力する抵抗上昇応動回路４１と、前記抵抗回路の抵抗値がシートセンサ４の変形により予め定められた所定値以下に下降した際の電圧上昇を検出して動作信号である高電圧信号を出力する抵抗降下応動回路４２とを備えており、これら各応動回路のいずれか一方より動作信号が出力された場合に、トランジスタＴＲ２、ＴＲ３およびリレ−ＲＬより成るスイッチング回路部４３がオン状態となってブザ−Ｂが作動するようになっている。
【００１２】
これら抵抗異常検出回路に接続されたケ−ブルコ−ド２と、前記シートセンサ４とを導通するように圧着接続する圧着コネクタ３は、図２並びに図３に示すような構成とされており、前記ケ−ブルコ−ド２が接続される側の反対側部分に、前記シートセンサ４を狭持する開閉可能な狭持カバー８が設けられた狭持部７を有し、該狭持部７には、前記シートセンサ４の前記狭持部７に狭持される狭持舌部に形成されている位置合わせ用のガイド孔６に挿入可能とされた凸部９が設けられている。
【００１３】
更に、狭持部７の下部ケース１２上には、その一端が前記ケ−ブルコ−ド２の先端の露出電線（図示略）に導通接続されているとともに、他方端部が前記シートセンサ４に形成された抵抗パターンの露出部とバネ弾性にて当接して導通するように狭持部７の下方位置に露出するように２本の接続端子１０が設けられていて、前記シートセンサ４のガイド孔６を前記凸部９に挿通した後に前記狭持カバー８を閉じることで、前記抵抗パターンの露出部と接続端子１０とが圧接されて導通、保持されるようになっている。尚、図３中の１１は上部ケースであり、１３は前記ケ−ブルコ−ド２の抜けを防止するケーブルストッパである。
【００１４】
この本実施例において用いたシートセンサ４の構成について説明すると、本実施例のシートセンサ４の構成は、基材である可撓性フィルムであるポリエチレンテレフタレート（ＰＥＴ）フィルムが、前記圧着コネクタ３の狭持部７に狭持される狭持舌部を挟んで二股短冊状とされており、該二股の内面にシートセンサ４を商品や什器に貼付可能とする粘着材層が塗布形成されている。
【００１５】
また、前記ＰＥＴフィルムの一方に短冊には、前記粘着材層との間に感圧抵抗ペーストの塗布により抵抗パターンの抵抗回路が形成されているとともに、前記狭持舌部に形成された位置合わせ用の前記ガイド孔６間の下面側には、該抵抗パターンの表面が露出するように凹部（図示略）が形成されており、該凹部が形成されている下面とは反対面となる前記狭持舌部上面には、該狭持舌部を補強する比較的肉厚のＰＥＴフィルムから成る補強材が粘着材を介して貼着されている。
【００１６】
また、前記ＰＥＴフィルム上の抵抗パターンは、感圧抵抗ペーストをスクリーン印刷することにて所定パターンに印刷され、乾燥されて形成されている。
【００１７】
この感圧抵抗ペーストによる抵抗パターンの内部構成は、主に前記ＰＥＴフィルムの変形に追随可能な柔軟性を有するバインダー樹脂に、粒径が著しく小さなアセチレンブラックやケッチェンブラック等のカーボンブラックが分散されて比較的大きな導通抵抗を有する導電性ペースト層に、球状や鱗片状であって、数μｍ程度の比較的大きな粒径を有し、比較的低い導通抵抗を有する導電粒子を、該導電粒子の間が適宜に離間する状態となるように配合、分散されており、抵抗パターンの形成側が曲げの外側となるように曲げられた場合には、隣接する前記導電粒子間の間隙が広がることで、前記各導電粒子間の抵抗が上昇することで、抵抗パターン全体の抵抗が上昇し、逆に抵抗パターンの形成側が曲げの内側となるように曲げられた場合には、隣接する前記導電粒子間の間隙が狭くなることで、各導電粒子間の抵抗が低下して抵抗パターン全体の抵抗が低下する。
【００１８】
つまり、商品や什器に前記シートセンサ４が貼付されている場合に、盗難者が該シートセンサ４を盗難のために剥がそうとした場合には、該シートセンサ４が変形されることから、該変形に伴って前記抵抗パターンの抵抗が上昇或いは低下して変化し、該抵抗変化が前記本体１に格納されている前記抵抗異常検出回路にて検出されて前記ブザ−Ｂが鳴動されることから、商品が盗まれる以前に盗難の発生を認知できるようになる。
【００１９】
尚、前記抵抗異常検出回路は、例えば前記圧着コネクタ３の狭持カバー８が開放されて前記シートセンサ４が取り外された場合や、前記ケ−ブルコ−ド２が切断された場合においても、抵抗の著しい上昇が生じることにより抵抗異常検出回路にて前記ブザ−Ｂが報知されるようになっているとともに、前記ケ−ブルコ−ド２が短絡された場合においても、抵抗の著しい低下が生じることにより抵抗異常検出回路にて前記ブザ−Ｂが鳴動されるようになっている。
【００２０】
また、本実施例の本体１が商品や什器に装着される装着面には、図４に示すように、粘着材３０が貼着されているとともに、該装着面には、本体１内部と連通する円形の開口３２が設けられており、該開口３２内に該開口の径よりも若干小径とされた円柱状のプランジャー２９が、スプリング２７により装着面に対し出没自在に設けられている。尚、図４中の２６は、スプリング２７の一方端を保持するためのホルダ部である。
【００２１】
このプランジャー２９の外周側面所定位置には、図４に示すように、前記回路基板３１から導出されたフイルム状のピエゾ素子であるピエゾフィルム２５の端部が、該ピエゾフィルム２５の端部に設けられている開口にプランジャー２９を挿通し、固定用ワッシャにて狭持することで接続されている。尚、本実施例では、これらピエゾフィルム２５をプランジャー２９に着脱可能にするために、固定用ワッシャを使用しているが、本発明はこれに限定されるものではなく、これらピエゾフィルム２５をプランジャー２９に接着剤等にて接着固定するようにしても良い。
【００２２】
また、ピエゾフィルム２５の他方端は、前記回路基板３１上に形成されたＺＩＦコネクタ２４に接続されるようになっており、該ＺＩＦコネクタ２４にてピエゾフィルム２５を容易に着脱できるようになっている。
【００２３】
このように、回路基板３１上にピエゾフィルム２５の着脱を容易に行うためのＺＩＦコネクタ２４を設けることは、本体１の組立において、予めプランジャー２９へのピエゾフィルム２５の接続を実施した後に、該ピエゾフィルム２５の他方端を、ピエゾフィルム２５の張架状態を調節しながら回路基板３１に簡便に接続できることから好ましいが、本発明はこれに限定されるものではなく、これらピエゾフィルム２５を回路基板３１に取外し不可に接続するようにしても良い。
【００２４】
これらピエゾフィルム２５として使用するフイルム状のピエゾ素子としては、圧電能を有するとともに、可撓性を有するものであれば好適に使用することができ、このようなものとしては、フイルム状のピエゾ素子を、可撓性を有するポリエステル等の高分子フィルムにてラミネートしたものや、該高分子フィルム上に印刷等にてピエゾ素子自体を形成したものがあり、これらピエゾフィルムとしては、米国ＭＳＩ（Ｍｅａｓｕｒｅｍｅｎｔ  Ｓｐｅｃｉａｌｉｅｓ，Ｉｎｃ）社製のＬＤＴシリーズや、ＦＤＴシリーズ等が例示される。
【００２５】
この本実施例の本体１の動作について説明すると、該本体１は、図４に示すように、前記装着面を商品や什器等に貼付することで、前記プランジャー２９が没状態となり、本体１が粘着材３０にて商品や什器等に保持されることで、該没状態が保持される。
【００２６】
この状態で前記メインスイッチ２２を操作ピン等にて「ＯＮ」状態とすることで、該「ＯＮ」状態とした後に、例えばカッター刃のような薄手のものを前記プランジャー２９と商品或いは什器との間に挿入した場合には、該挿入によりプランジャー２９が微小でも可動することで、該プランジャー２９の可動によりピエゾフィルム２５に電圧が生じ、該生じた電圧が前記回路基板３１に形成されている電圧変化検出回路４４にて検出される。（図５参照）
【００２７】
該電圧変化検出回路４４にてピエゾフィルム２５に電圧が生じたことが検出されると、該電圧変化検出回路４４から動作信号が出力されることで、トランジスタＴＲ２、ＴＲ３およびリレ−ＲＬより成るスイッチング回路部４３がオン状態となってブザ−Ｂが作動する。
【００２８】
以上、本実施例のように、変位部であるプランジャー２９の微小な変位によってフィルム状のピエゾ素子が変形することにより、該変形により生じる電圧が前記電圧変化検出回路にて検出されて前記発報手段であるブザーＢによる発報がなされるようになるため、カッター刃のような薄手のものを挿入して盗難防止装置本体１を商品から引き剥がした場合においても、より確実に商品に異常が発生したことが報知される。
【００２９】
以上、本発明を図面に基づいて説明してきたが、本発明はこれら前記各実施例に限定されるものではなく、本発明の主旨を逸脱しない範囲での変更や追加があっても、本発明に含まれることは言うまでもない。
【００３０】
例えば、前記実施例においては、前記稼働部材であるプランジャー２９を取付け面である装着面に突出するように付勢する付勢手段であるスプリング２７を設けており、このようにすることは、商品や什器への着脱において変位部並びに稼働部材であるプランジャー２９が可逆的に変位することで、繰返し盗難防止装置を簡便に使用することができることから好ましいが、本発明はこれに限定されるものではなく、例えば、前記スプリング２７を設けずにプランジャー２９の取付面側の端面に、粘着材を貼着しておき、本体１が引き剥がされる際に、該プランジャー２９が商品側に取り残されるようになることで、ピエゾフィルム２５が変形して電圧が発生するようにしても良い。
【００３１】
また、前記実施例においては、シートセンサ４を用いているが、本発明はこれに限定されるものではなく、従来と同様にこれらシートセンサ４に代えて導通ケーブルを使用しても良いし、更には、これらシートセンサ４や導通ケーブルを有せずに、これら商品の持ち出しを非接触にて検出するためのＲＦ−ＩＤのユニットを内在するものとしても良い。
【００３２】
また、前記実施例においては、ピエゾフィルム２５の回路基板３１への接続を着脱可能とするためにＺＩＦコネクタを使用したが、本発明はこれに限定されるものではなく、ピエゾフィルム２５を着脱可能に接続できるものであれば、その他のコネクタを使用しても良い。
【００３３】
また、前記実施例においては、本体１が商品に装着されている状態である前記プランジャー２９が没状態において、ピエゾフィルム２５がほぼ平坦状になるように配置しているが、本発明はこれに限定されるものではなく、例えば、プランジャー２９の可動に伴うピエゾフィルム２５の変形を大きくしたい場合等においては、図６に示すように、Ｕ字状に折り返してピエゾフィルム２５を配置するようにしても良い。
【００３４】
【発明の効果】
本発明は次の効果を奏する。
（ａ）請求項１の発明によれば、カッター刃のような薄手のものを挿入して盗難防止装置本体を商品から引き剥がそうとした場合においても、これら引き剥がし行為による前記変位部の微小な変位によってフィルム状のピエゾ素子が変形することにより、該変形により生じる電圧が前記電圧変化検出回路にて検出されて前記発報手段による発報がなされるようになるため、カッター刃のような薄手のものを挿入して盗難防止装置本体を商品から引き剥がした場合においても、より確実に商品に異常が発生したことが報知される。
【００３５】
（ｂ）請求項２の発明によれば、前記出没自在に設けられた稼働部材が付勢手段により付勢されていることで、商品への着脱において変位部が可逆的に変位することで、繰返し盗難防止装置を簡便に使用することができる。
【００３６】
（ｃ）請求項３の発明によれば、フィルム状のピエゾ素子を前記変位部に接続した後に、電圧変化検出回路と容易に接続できるようになるため、盗難防止装置の組立工程を簡素化できる。
【図面の簡単な説明】
【図１】本発明の実施例における盗難防止装置を示す外観斜視図である。
【図２】本発明の実施例における盗難防止装置のコード先端部に設けられた圧着コネクタへのシートセンサの装着状況を示す図である。
【図３】本発明の実施例に用いた圧着コネクタの構成を示す断面図である。
【図４】本発明の実施例に用いた本体１の構成を示す断面図である。
【図５】本発明の実施例の盗難防止装置に用いた回路構成を示す回路図である。
【図６】ピエゾフィルムのその他の配置形態を示す図である。
【符号の説明】
１            本体
２            ケ−ブルコ−ド
３            圧着コネクタ
４            シートセンサ
６            ガイド孔
７            狭持部
８            狭持カバー
９            凸部
１０          接続端子
１１          上部ケース
１２          下部ケース
１９          開口
２０          放音部
２２          メインスイッチ
２４          ＺＩＦコネクタ
２５          ピエゾフィルム
２６          ホルダ部
２７          スプリング
２９          プランジャー
３０          粘着材
３１          回路基板
３２          開口
４１          抵抗上昇応動回路
４２          抵抗降下応動回路
４３          スイッチング回路部
４４          電圧変化検出回路
Ｂ            ブザー
【図１】
2004295760.tif 000003
【図２】
2004295760.tif 000004
【図３】
2004295760.tif 000005
【図４】
2004295760.tif 000006
【図５】
2004295760.tif 000007
【図６】
2004295760.tif 000008